(57)【要約】【課題】長期間の保存が可能であるとともに、簡易な開封操作で使用可能な状態とすることができる液体揮散具を提供すること。【解決手段】液体Ｍを収容する液体容器２を備え、この液体容器２中の液体Ｍを揮散体５を用いて揮散させるようにした液体揮散具１において、液体容器２中の液体Ｍを吸い上げる吸い上げ部４ａを有すると共にその吸い上げ部４ａによって吸い上げた液体Ｍを揮散体５へと導出する導出部４ｂを有する吸い上げ体４と、吸い上げ部４ａを保持する保持部１４を有すると共に導出部４ｂを覆う蓋部１３を有して吸い上げ体４を液体容器２に固定する固定部材３とを備え、固定部材３における保持部１４と蓋部１３との境界に強度を弱めた脆弱部１７を設けて保持部１４に対し蓋部１３を破断可能とする。【選択図】図３
2014207936.tif 000002
【特許請求の範囲】
【請求項１】
液体を収容する液体容器を備え、この液体容器中の液体を揮散体を用いて揮散させるようにした液体揮散具において、液体容器中の液体を吸い上げる吸い上げ部を有すると共にその吸い上げ部によって吸い上げた液体を揮散体へと導出する導出部を有する吸い上げ体と、吸い上げ部を保持する保持部を有すると共に導出部を覆う蓋部を有して吸い上げ体を液体容器に固定する固定部材とを備え、固定部材における保持部と蓋部との境界に強度を弱めた脆弱部を設けて保持部に対し蓋部を破断可能としたことを特徴とする液体揮散具。
【請求項２】
液体容器に対し着脱自在で、揮散体を収容し保持する孔あきカバー部材を備えるものとし、この孔あきカバー部材を蓋部の開封操作後の液体容器に装着することで吸い上げ体の導出部に揮散体を接触させるようにしたことを特徴とする請求項１記載の液体揮散具。
【請求項３】
脆弱部は、一方から他方に向かう長軸方向の差し渡し寸法に対し、その長軸方向と直交する短軸方向の差し渡し寸法を小さくすることを特徴とする請求項１又は２記載の液体揮散具。
【請求項４】
蓋部に人の手指で挟み持つことが可能な摘み部を設けることを特徴とする請求項１、２又は３記載の液体揮散具。
【発明の詳細な説明】
【技術分野】
【０００１】
本発明は、液体の揮散具に関し、特に、液体容器に収容された芳香剤や消臭剤等の液体を揮散させるようにした液体揮散具に関するものである。
【背景技術】
【０００２】
従来、この種の液体揮散具として、揮散体が液体に浸漬された状態で販売される方式のものと、揮散体が液体に浸漬されていない状態で販売されてユーザーが揮散体を液体に浸漬して使用する方式のものとがある。
【０００３】
これらのうち、前者のものは、保管中に液体が揮散体を通して蒸散されるため、長期間の保存に適さないという問題があった。
一方、後者のものは、長期間の保存に適する反面、揮散体が嵩張るため、包装や流通のコストが増大するという問題があった。
【０００４】
これらの問題を解決し得る液体揮散具が、例えば、特許文献１にて提案されている。
【先行技術文献】
【特許文献】
【０００５】
【特許文献１】特開２０１２−７５７４８号公報
【０００６】
この特許文献１に係る液体揮散具は、容器本体に貯留された液体を吸い上げる際にその液体に浸漬される浸漬部を有する揮散体と、この揮散体を容器本体の口部に装着するための揮散体装着用中蓋とを備え、この揮散体装着用中蓋に揮散体収納空間を設け、この揮散体収納空間内に揮散体の浸漬部を折り畳んで収容するようされている。
【０００７】
この液体揮散具によれば、使用前には揮散体が液体に浸漬されておらず、しかも揮散体収納空間内に揮散体の浸漬部が折り畳まれて収容されているので、長期間の保存が可能であるとともに、揮散体を嵩低くコンパクトに纏めることができる。
【０００８】
ところで、上記の特許文献１に係る液体揮散具では、使用に際して、容器本体の口部から揮散体装着用中蓋を取り外し、取り外した揮散体装着用中蓋の揮散体収納空間から揮散体の浸漬部を引き出すとともに、容器本体の口部を封緘する封緘材を取り外し、揮散体の折り畳まれた浸漬部を伸ばして、容器本体中の液体に浸漬させながら、揮散体装着用中蓋を容器本体に取り付けるようにしている。
【０００９】
このため、この液体揮散具は、使用可能な状態とするための操作が煩雑で手数がかかるという問題があった。
【発明の概要】
【発明が解決しようとする課題】
【００１０】
本発明は、上記従来の液体揮散具の有する問題点に鑑み、長期間の保存が可能であるとともに、簡易な開封操作で使用可能な状態とすることができる液体揮散具を提供することを目的とする。
【課題を解決するための手段】
【００１１】
上記目的を達成するため、本発明の液体揮散具は、液体を収容する液体容器を備え、この液体容器中の液体を揮散体を用いて揮散させるようにした液体揮散具において、液体容器中の液体を吸い上げる吸い上げ部を有すると共にその吸い上げ部によって吸い上げた液体を揮散体へと導出する導出部を有する吸い上げ体と、吸い上げ部を保持する保持部を有すると共に導出部を覆う蓋部を有して吸い上げ体を液体容器に固定する固定部材とを備え、固定部材における保持部と蓋部との境界に強度を弱めた脆弱部を設けて保持部に対し蓋部を破断可能としたことを特徴とする。
【００１２】
この場合において、液体容器に対し着脱自在で、揮散体を収容し保持する孔あきカバー部材を備えるものとし、この孔あきカバー部材を蓋部の開封操作後の液体容器に装着することで吸い上げ体の導出部に揮散体を接触させるようにすることができる。
【００１３】
また、脆弱部は、一方から他方に向かう長軸方向の差し渡し寸法に対し、その長軸方向と直交する短軸方向の差し渡し寸法を小さくするのが好ましい。
【００１４】
また、蓋部に人の手指で挟み持つことが可能な摘み部を設けるのが好ましい。
【発明の効果】
【００１５】
本発明の液体揮散具においては、液体容器中の液体に吸い上げ体の吸い上げ部が浸漬され、この吸い上げ部によって液体が吸い上げ体の導出部にまで吸い上げられる。
使用前においては、吸い上げ体の導出部が固定部材の蓋部によって覆われているので、保管中に液体が導出部を通して蒸散されることはない。
使用に際しては、固定部材における蓋部を保持部に対し捻じったり、折り曲げたりすることにより、蓋部と保持部との境界に設けられた脆弱部を破断して蓋部を切除し、吸い上げ体の導出部を外部に露出させる。これにより、液体容器中の液体が吸い上げ体を介して揮散体に吸い上げられて揮散可能な状態とされ、液体揮散具として使用可能な状態とされる。
本発明の液体揮散具によれば、吸い上げ体の導出部が固定部材の蓋部で覆われることにより保管中に液体が導出部を通して蒸散されるのを防ぐことができるとともに、固定部材の蓋部を保持部に対し捻じったり、折り曲げたりするといった簡易な開封操作によって吸い上げ体の導出部を外部に露出させることができるので、長期間の保存が可能であるとともに、簡易な開封操作で使用可能な状態とすることができる。
なお、本発明の液体揮散具においては、液体容器中に吸い上げ体が予め挿入されているので、吸い上げ体と揮散体とよりなる揮散構造体が嵩張ることはなく、揮散構造体を嵩低くコンパクトに纏めることができるのは言うまでもない。
【００１６】
また、液体容器に対し着脱自在で、揮散体を収容し保持する孔あきカバー部材を備えるものとし、この孔あきカバー部材を蓋部の開封操作後の液体容器に装着することで吸い上げ体の導出部に揮散体を接触させるようにすることにより、液体容器に孔あきカバー部材を装着するといった簡易な操作で吸い上げ体と揮散体とを接合して揮散構造体を構成し、この揮散構造体により、液体容器の液体を外部に揮散させることができる。
【００１７】
また、脆弱部は、一方から他方に向かう長軸方向の差し渡し寸法に対し、その長軸方向と直交する短軸方向の差し渡し寸法を小さくすることにより、脆弱部における長軸方向の両端部に断面急変部が形成されるので、脆弱部を破断する際にその断面急変部に応力を集中させることができ、小さな操作力でも脆弱部を確実に破断することができる。
【００１８】
また、蓋部に人の手指で挟み持つことが可能な摘み部を設けることにより、開封操作をより容易に行うことができる。
【図面の簡単な説明】
【００１９】
【図１】本発明の一実施形態に係る液体揮散具の全体斜視図である。
【図２】本実施形態の液体揮散具の分解斜視図である。
【図３】本実施形態の液体揮散具の要部を破断して表す正面図で、（ａ）は蓋部の未開封状態図、（ｂ）は蓋部の開封状態図である。
【図４】本実施形態の液体揮散具の要部を破断して表す側面図で、（ａ）は蓋部の未開封状態図、（ｂ）は蓋部の開封状態図である。
【図５】液体容器に対する吸い上げ体の固定構造を示す図で、（ａ）は固定部材周りの縦断面図、（ｂ）は（ａ）のＡ−Ａ線断面図である。
【発明を実施するための形態】
【００２０】
次に、本発明の液体揮散具の実施の形態を、図面に基づいて説明する。
【００２１】
図１及び図２に示されるように、本実施形態の液体揮散具１は、液体容器２に固定部材３を介して吸い上げ体４を固定するとともに、吸い上げ体４と接触可能に揮散体５を保持して収容する孔あきカバー部材６を液体容器２に装着して構成されている。
【００２２】
＜液体容器の説明＞
図２に示されるように、液体容器２は、芳香剤や消臭剤等の拡散性の液体を収容する容器本体２ａを備え、この容器本体２ａの上面部に口部２ｂを突設して構成されている。
容器本体２ａの上部には、全周に亘って溝部７が形成されている。
口部２ｂには、その先端部外周面にリング状の係止凸部８が形成されるとともに、その中間部外周面にリング状の係止凹部９が形成されている。
【００２３】
＜吸い上げ体の説明＞
吸い上げ体４は、固定部材３を介して液体容器２の口部２ｂに固定された状態において容器本体２ａの底面近傍に到達可能な所定長さ寸法で上下方向に丸棒状に延びてなり、その下端から上端部寄りの部位に至る部分が液体容器２中の液体を吸い上げる吸い上げ部４ａとされるとともに、その上端部分がその吸い上げ部４ａによって吸い上げた液体を揮散体５へと導出する導出部４ｂとされている。
吸い上げ体４の構成材料としては、液体容器２中の液体を毛細管現象により吸い上げることができる材料であればよく、例えば、不織布、ろ紙、繊維束、連続気泡発砲体等を用いることができる。
【００２４】
＜固定部材の説明＞
固定部材３は、液体容器２の口部２ｂに被せるように装着されるキャップ部材３ａに、その中心部を貫くように鞘部材３ｂが一体的に形成されてなるものである。
【００２５】
図５（ａ）に示されるように、キャップ部材３ａの天板下面には、キャップ部材３ａが液体容器２の口部２ｂに装着されたときに、口部２ｂの先端部内周面に密着するシールリング部１０が形成され、このシールリング部１０により、口部２ｂとキャップ部材３ａとの間から液体が漏れるのを防ぐようにされている。
【００２６】
キャップ部材３ａの内周面には、液体容器２の口部２ｂに設けられた係止凸部８に対応するリング状の係止凹部１１が形成されるとともに、口部２ｂに設けられた係止凹部９に対応するリング状の係止凸部１２が形成されている。
これら係止凸部８，１２と係止凹部１１，９とを係合させることにより、液体容器２の口部２ｂに固定部材３が取り付けられた状態を安定的に保持することができる。
なお、キャップ部材３ａに対し液体容器２の口部２ｂから引き離す方向にある一定以上の引張力を作用させると、係止凸部８，１２と係止凹部１１，９との係合状態が解除されて口部２ｂから固定部材３を取り外すことができる。
【００２７】
図５（ａ）（ｂ）に示されるように、鞘部材３ｂは、断面菱形筒形状で上下方向に延び、下端側が開放される一方で上端側が閉鎖された形状の部材よりなるものである。
この鞘部材３ｂにおいては、キャップ部材３ａの天板上方位置に配される上端部分が吸い上げ体４の導出部４ｂを覆う蓋部１３とされ、この蓋部１３の下側でキャップ部材３ａの天板上面からやや突出された部位から下端に至る部分が、吸い上げ体４における吸い上げ部４ａの上部を保持する保持部１４とされている。
【００２８】
蓋部１３には、人の手指で挟み持つことが可能な摘み部１５が一体的に形成されている。
保持部１４の内周面には、所要の突起１６が設けられており、該突起１６を吸い上げ体４の吸い上げ部４ａに食い込ませることにより、吸い上げ部４ａに対する保持力を高めるようにされている。
また、保持部１４の内周面の形状は、吸い上げ体４の断面形状と異なる形状、具体的には、本実施形態においては、図５（ｂ）に示すように、断面形状が円形の吸い上げ体４に対して、吸い上げ体４の円形に沿った円弧部と、その接線方向に延びる直線部とからなる異形形状に形成することにより、保持部１４の内周面と吸い上げ体４の外周面との間に微小な通気空間１４ａが形成されるようにしている。
【００２９】
鞘部材３ｂにおける蓋部１３と保持部１４との境界には、周方向の全域に亘って溝を形成することによって強度を弱めた脆弱部１７が設けられており、該脆弱部１７により、保持部１４に対し蓋部１３を破断可能とされている。
ここで、脆弱部１７は、一方から他方に向かう長軸方向の差し渡し寸法Ｓ１に対し、その長軸方向と直交する短軸方向の差し渡し寸法Ｓ２が小さくされた断面菱形筒形状（鞘部材３ｂの断面形状と相似でその大きさが小さい）とされている。これにより、脆弱部１７における長軸方向の両端部に断面急変部１７ａが形成されるので、脆弱部１７を破断する際にそれら断面急変部１７ａに応力を集中させることができ、小さな操作力でも脆弱部１７を確実に破断することができる。
なお、脆弱部１７を設ける手段としては、上記の連続的な溝に限定されるものではなく、不連続の溝でもよく、また上記の溝に代えて細い切込みを連続又は不連続に設けることによってもその機能を達成することができる。
【００３０】
＜揮散体の説明＞
図２に示されるように、揮散体５は、所要厚みのシート状部材が側方視でコの字形状に折り曲げられてなり、縦板部５ａと、縦板部５ａの上辺縁に連設される上側横板部５ｂと、縦板部５ａの下辺縁に連設される下側横板部５ｃとを有し、孔あきカバー部材６の内部に収容・保持されている。
揮散体５の構成材料としては、吸い上げ体４と同様の材料を用いることができる。
【００３１】
＜孔あきカバー部材の説明＞
孔あきカバー部材６は、角丸四角形状の天板６ａを有し、やや外側に膨出するように湾曲された側板６ｂをその天板６ａの前後左右のそれぞれの側辺に連設して構成されている。
孔あきカバー部材６においては、その内部に収容された揮散体５から揮散する液体の成分が外部に放たれるように、所要の通気孔１８が天板６ａ及び各側板６ｂにそれぞれ設けられている。
【００３２】
図３（ａ）に示されるように、孔あきカバー部材６の内周面には、液体容器２の容器本体２ａに形成した溝部７に嵌り込む所要の突起部１９が形成されている。
天板６ａの下面には、揮散体５の上側横板部５ｂに当接される当接片２０が設けられており、該当接片２０により、揮散体５の上側横板部５ｂと天板６ａとの間に隙間を設けることができ、これによって揮散体５の揮散効率を向上させることができる。
【００３３】
図３（ａ）に示されるように、天板６ａの下面には、左右方向に一対の吊下支持用ブラケット２１が垂設されるとともに、図４（ａ）に示されるように、前後方向に一対の吊下支持用ブラケット２２が垂設されている。
図３（ｂ）に示されるように、左右方向に配される一対の吊下支持用ブラケット２１は、揮散体５の上側横板部５ｂを抱え込むようにして吊り下げ支持するものである。
図４（ｂ）に示されるように、前後方向に配される一対の吊下支持用ブラケット２２は、揮散体５の下側横板部５ｃを抱え込むようにして吊り下げ支持するものである。
【００３４】
なお、図４（ａ）に示されるように、蓋部１３の開封前においては、揮散体５の下側横板部５ｃが摘み部１５によって押し上げられた状態にあるため、その下側横板部５ｃは一対の吊下支持用ブラケット２２からやや浮いた状態にある。
そして、図３（ｂ）及び図４（ｂ）に示されるように、後述する開封操作にて吸い上げ体４の導出部４ｂが露出された状態において、孔あきカバー部材６が液体容器２に装着されたとき、これら吊下支持用ブラケット２１，２２により、揮散体５の下側横板部５ｃが吸い上げ体４の導出部４ｂに接触するように揮散体５の高さ位置を保持することができるようになっている。
【００３５】
＜作用効果の説明＞
以上に述べたように構成される液体揮散具１においては、図３（ａ）に示されるように、液体容器２中の液体Ｍに吸い上げ体４の吸い上げ部４ａが浸漬され、この吸い上げ部４ａによって液体Ｍが吸い上げ体４の導出部４ｂにまで吸い上げられる。
【００３６】
使用前においては、導出部４ｂが蓋部１３によって覆われているので、保管中に液体Ｍが導出部４ｂを通して蒸散されることはない。したがって、長期間の保存が可能となる。
【００３７】
使用に際しては、一旦、孔あきカバー部材６を液体容器２から取り外し、次いで、摘み部１５を手指で摘まんで蓋部１３を保持部１４（図５（ａ）参照）に対し捻じったり、折り曲げたりすることにより、脆弱部１７を破断して蓋部１３を切除し、図３（ｂ）に示されるように、吸い上げ体４の導出部４ｂを外部に露出させる。こうして、簡易な開封操作で使用可能な状態とすることができる。
その後、揮散体５を収容・保持している孔あきカバー部材６を液体容器２に装着する。すると、吸い上げ体４の導出部４ｂと、揮散体５の下側横板部５ｃとが接触されることになる。
こうして、液体容器２に孔あきカバー部材６を装着するといった簡易な操作で吸い上げ体４と揮散体５とを接合して揮散構造体２３を構成し、この揮散構造体２３により、液体容器２中の液体Ｍを吸い上げ体４で吸い上げて揮散体５で揮散させることができる。
なお、図５（ｂ）に示すように、保持部１４の内周面と吸い上げ体４の外周面との間に微小な通気空間１４ａが形成されるようにしているため、液体容器２中の液体Ｍが吸い上げ体４を介して吸い上げられても、液体容器２内が負圧にならず、液体容器２中の液体Ｍを吸い上げ体４で円滑に吸い上げて揮散体５で揮散させることができる。
そして、揮散体５から揮散された液体Ｍの成分は、孔あきカバー部材６の通気孔１８（図２参照）を通して外部に放たれる。
【００３８】
以上、本発明の液体揮散具について、一実施形態に基づいて説明したが、本発明は上記実施形態に記載した構成に限定されるものではなく、その趣旨を逸脱しない範囲において適宜その構成を変更することができるものである。
【産業上の利用可能性】
【００３９】
本発明の液体揮散具は、長期間の保存が可能であるとともに、簡易な開封操作で使用可能な状態とすることができるという特性を有していることから、芳香剤や消臭剤等の拡散性の液体を拡散させる用途に好適に用いることができる。
【符号の説明】
【００４０】
１  液体揮散具
２  液体容器
３  固定部材
４  吸い上げ体
４ａ  吸い上げ部
４ｂ  導出部
５  揮散体
６  孔あきカバー部材
１３  蓋部
１４  保持部
１５  摘み部
１７  脆弱部
２３  揮散構造体
【図１】
2014207936.tif 000003
【図２】
2014207936.tif 000004
【図３】
2014207936.tif 000005
【図４】
2014207936.tif 000006
【図５】
2014207936.tif 000007